(57)【要約】【課題】積極的にインク吸収対応を行わせて、ノズル面及びその付近のインクを確実に除去することで、高精細な画像記録を行うインクジェットプリンタを提供すること。【解決手段】インクを吐出する複数のノズル８が設けられた記録ヘッド５と、前記ノズル８のノズル面９に付着した前記インクを除去するインク拭き取り装置１２とを備えるとともに、インク拭き取り装置１２は、インク吸収体１５を移動させるインク吸収体移動装置１９と、インク吸収体１５の表面を前記ノズル面９に接触させる押し付け部材２３とを備え、押し付け部材２３は、螺旋状に形成されている。【選択図】図４
2005205634.tif 000002
【特許請求の範囲】
【請求項１】
インクを吐出する複数のノズルが設けられた記録ヘッドと、前記ノズルのノズル面に付着した前記インクを除去するインク拭き取り装置とを備えるインクジェットプリンタにおいて、
前記インク拭き取り装置は、インク吸収体を移動させるインク吸収体移動装置と、前記インク吸収体の表面を前記ノズル面に接触させる押し付け部材とを備え、
前記押し付け部材は、螺旋状に形成されていることを特徴とするインクジェットプリンタ。
【請求項２】
前記押し付け部材は、前記ノズル面に沿って移動可能に構成されていることを特徴とする請求項１に記載のインクジェットプリンタ。
【請求項３】
前記押し付け部材には、スリットが設けられており、前記スリットの幅寸法の間隔は１〜５ｍｍ以下であることを特徴とする請求項１または２に記載のインクジェットプリンタ。
【請求項４】
前記押し付け部材は、ポリプロピレン、ポリエチレン、４−フッ化エチレン、４，６−フッ化プロピレンのうちいずれか一つの材料から形成されていることを特徴とする請求項１から３のいずれか一項に記載のインジェットプリンタ。
【請求項５】
前記インク吸収体は、０．１デニールの繊度で織られた高密度繊維であるとともに、前記高密度繊維は、ポリエステル、アクリル、ナイロンのうちいずれか一つあるいはこれらの組み合わせの材料から形成されていることを特徴とする請求項１から４のいずれか一項に記載のインクジェットプリンタ。
【請求項６】
前記インク吸収体は、送り出し軸、巻き取り軸に巻回されるシート形状をしており、前記送り出し軸から繰り出された前記インク吸収体は、前記巻き取り軸により巻き取られることを特徴とする請求項１から５のいずれか一項に記載のインクジェットプリンタ。
【請求項７】
前記インクは、２３℃の粘度が、１０〜５０［ｍＰａ・ｓ］で、表面張力が２０〜４０［ｍＮ／ｍ］であることを特徴とする請求項１から６のいずれか一項に記載のインクジェットプリンタ。
【請求項８】
前記インクは、活性化エネルギー線硬化性化合物を含んでおり、活性化エネルギーが紫外線であることを特徴とする請求項１から７のいずれか一項に記載のインクジェットプリンタ。
【発明の詳細な説明】
【技術分野】
【０００１】
本発明は、インクジェットプリンタに係り、特に、紫外線を照射することで硬化するインクが使用されるインクジェットプリンタに関するものである。
【背景技術】
【０００２】
従来、簡易かつ安価に画像を記録できる画像記録手段として、インクジェット方式を用いた画像プリンタが数多く用いられている。インクジェット方式を用いた画像プリンタ（以下、「インクジェットプリンタ」と言う。）は、例えばピエゾ素子等の圧電素子やヒータ等を用いて、記録ヘッドのノズルからインクを微小な液滴として紙等の記録媒体に向けて吐出し、記録媒体にインクを浸透若しくは定着させながら記録ヘッドを記録媒体上で移動させることにより記録媒体上に画像記録を行うものである。
【０００３】
さらに近年は、樹脂フィルム等のインク吸収性の乏しい記録媒体に対しても画像を形成することのできる手段として、紫外線硬化型のインクジェットプリンタが知られている（例えば、特許文献１参照）。これは、紫外線に対して所定の感度を有する光開始剤が含有された紫外線硬化性インクを用い、記録媒体上に着弾したインクに紫外線を照射することで、インクを硬化させ記録媒体上に定着させるものであり、透明又は不透明の包装材に対しても簡易に印刷を行うことが可能である。
【０００４】
しかし、このようなインクジェットプリンタにおいては、連続して記録作業を行った場合に、記録ヘッドのノズルから吐出され霧状になったインクがノズル付近に付着、堆積して目詰まりを起こすことがある。特に、紫外線硬化型のインクジェットプリンタでは、紫外線光源等の反射光によりノズル付近に付着したインクが硬化することがあり、このような状態で記録作業を行った場合には、ピエゾ素子等の働きによってノズルが吐出動作を行っても、インク滴が吐出されないいわゆるノズル欠や、正しい方向にインク滴が吐出されないいわゆる吐出曲がり等の吐出不良が生じ、画像記録に不具合が生じるおそれがある。
【０００５】
そのため、正常な画像記録を行うためには、適宜記録ヘッドのクリーニング動作を行うことが必要となる。この記録ヘッドのクリーニング動作として、従来から、紙等のシート状のインク吸収体を記録ヘッドに接触させて、記録ヘッドのノズル付近に付着したインクを吸収し除去する動作を行うものが知られている（例えば、特許文献２参照）。
【特許文献１】特開２００１−３１０４５４号公報
【特許文献２】特許２７０５９５６号公報
【発明の開示】
【発明が解決しようとする課題】
【０００６】
しかしながら、上記特許文献２の場合、記録ヘッドのノズル面に凹凸が形成されていたり、ノズルが記録ヘッドに対して突出していたりするような場合、インク吸収体をノズル面の凹凸等に対応させることができず、ノズル付近に付着したインクをインク吸収体に適正に密着させて吸収させることができなかった。特に、記録ヘッドに対して常に同じ位置でインク吸収体を接触させるためには、高度な記録ヘッドの停止精度を必要とし、また、キャリッジに異なる記録ヘッドを搭載させた場合では、記録ヘッド毎の異なる形状の凹凸に応じてフレキシブル密着させることができなかった。そのため、ノズル数が多い産業用のインクジェットプリンタにおいては、ノズル面をインク吸収体に適正に密着させることは困難であり、ノズル付近に付着したインクをインク吸収体に吸収させることができず、ノズル面にそのまま残留してしまうという問題がある。また、紫外線硬化性インクを始めとし、油系・ソルベント等のいわゆる粘性が高く、濡れ性が悪いインクを用いる場合には、インクの吸収効率がさらに悪くなり、クリーニングを十分に行うことができず、画像記録に不具合を生じさせてしまうおそれがあるという問題を有している。
【０００７】
そこで、本発明は以上のような課題を解決するためになされたものであり、高度な制御構成を必要とせず、インク吸収体に適正にインクを吸収させてノズル面に付着したインクを確実に除去するクリーニングを行うことができ、高精細な画像記録を行うインクジェットプリンタを提供することを目的とするものである。
【課題を解決するための手段】
【０００８】
前記課題を解決するため、請求項１に記載の発明に係るインクジェットプリンタは、
インクを吐出する複数のノズルが設けられた記録ヘッドと、前記ノズルのノズル面に付着した前記インクを除去するインク拭き取り装置とを備えるインクジェットプリンタにおいて、
前記インク拭き取り装置は、インク吸収体を移動させるインク吸収体移動装置と、前記インク吸収体の表面を前記ノズル面に接触させる押し付け部材とを備え、
前記押し付け部材は、螺旋状に形成されていることを特徴とする。
【０００９】
請求項１に記載の発明によれば、前記インク拭き取り装置は、インク吸収体を移動させるインク吸収体移動装置と、前記インク吸収体の表面を前記ノズル面に接触させる押し付け部材とを備え、
前記押し付け部材は、螺旋状に形成されているので、押し付け部材自身を回転させることにより、押し付け部材がインク吸収体に接触する部分を移動させ、インク吸収体に押し付け部材を確実に密着させながら、ノズル面のインクをインク吸収体に確実に吸収させ、ノズル付近に付着したインクを確実に除去することができる。
【００１０】
請求項２に記載の発明に係るインクジェットプリンタは、
請求項１において、前記押し付け部材は、前記ノズル面に沿って移動可能に構成されていることを特徴とする。
【００１１】
請求項２に記載の発明によれば、前記押し付け部材は、前記ノズル面に沿って移動可能に構成されているので、前記ノズル面に沿って移動することができると同時に、支持軸自身を回転させることができる。
【００１２】
請求項３に記載の発明に係るインクジェットプリンタは、
請求項１または２において、前記押し付け部材には、スリットが設けられており、前記スリットの幅寸法の間隔は１〜５ｍｍ以下であることを特徴とする。
【００１３】
請求項３に記載の発明によれば、前記押し付け部材には、スリットが設けられており、前記スリットの幅寸法の間隔は１〜５ｍｍ以下であるので、前記押し付け部材を前記ノズル面に当接させるときに、ノズルや記録ヘッドの凹凸に応じて確実にインク吸収体を密着させることができる。
【００１４】
請求項４に記載の発明に係るインクジェットプリンタは、
請求項１から３のいずれか一項において、前記押し付け部材は、ポリプロピレン、ポリエチレン、４−フッ化エチレン、４，６−フッ化プロピレンのうちいずれか一つの材料から形成されていることを特徴とする。
【００１５】
請求項４に記載の発明によれば、前記押し付け部材は、ポリプロピレン、ポリエチレン、４−フッ化エチレン、４，６−フッ化プロピレンのうちいずれか一つを材料とするので、例えばカチオン系の紫外線硬化性インク等のような有機系溶剤を含むインクの付着によって、押し付け部材を膨潤・溶解することなく長年使用することができる。
【００１６】
請求項５に記載の発明に係るインクジェットプリンタは、
請求項１から４いずれか一項において、前記インク吸収体は、０．１デニールの繊度で織られた高密度繊維であるとともに、前記高密度繊維は、ポリエステル、アクリル、ナイロンのうちいずれか一つあるいはこれらの組み合わせの材料から形成されていることを特徴とする。
【００１７】
請求項５に記載の発明によれば、前記インク吸収体は、０．１デニールの繊度で織られた高密度繊維であるとともに、前記高密度繊維は、ポリエステル、アクリル、ナイロンのうちいずれか一つあるいはこれらの組み合わせの材料から形成されているので、粘性が高く、濡れ性が悪いインクにおいてもインクを効率よく吸収させることができる。
【００１８】
請求項６に記載の発明に係るインクジェットプリンタは、
請求項１から５いずれか一項において、前記インク吸収体は、送り出し軸、巻き取り軸に巻回されるシート形状をしており、前記送り出し軸から繰り出された前記インク吸収体は、前記巻き取り軸により巻き取られることを特徴とする。
【００１９】
請求項６に記載の発明によれば、前記インク吸収体は、送り出し軸、巻き取り軸に巻回されるシート形状をしており、前記送り出し軸から繰り出された前記インク吸収体は、前記巻き取り軸により巻き取られるので、常にインク未吸収部分である新しいインク吸収体を交換することなく接触させることができる。
【００２０】
請求項７に記載の発明に係るインクジェットプリンタは、
請求項１から６いずれか一項において、前記インクは、２３℃の粘度が、１０〜５０［ｍＰａ・ｓ］で、表面張力が２０〜４０［ｍＮ／ｍ］であることを特徴とする。
【００２１】
請求項７に記載の発明によれば、前記インクは、２３℃の粘度が、１０〜５０［ｍＰａ・ｓ］で、表面張力が２０〜４０［ｍＮ／ｍ］であるので、粘性が高く、濡れ性が悪いインクである。このような粘性が高く、濡れ性が悪いインクにおいても請求項１から６に記載と併せることにより確実に吸収体をノズルに密着させて、インクを吸収させることができる。
【００２２】
請求項８に記載の発明に係るインクジェットプリンタは、
請求項１から７いずれか一項において、前記インクは、活性化エネルギー線硬化性化合物を含んでおり、活性化エネルギーが紫外線であることを特徴とする。
【００２３】
請求項８に記載の発明によれば、前記インクは、活性化エネルギー線硬化性化合物を含んでおり、活性化エネルギーが紫外線であるので、紫外線を照射することで、インクを効率よく硬化させることができる。
【発明の効果】
【００２４】
請求項１に記載の発明によれば、押し付け部材自身を回転させることにより、押し付け部材がインク吸収体に接触する部分を移動させ、インク吸収体に押し付け部材を確実に密着させながら、ノズル面のインクをインク吸収体に確実に吸収させ、ノズル面に付着したインクを確実に除去することができるので、キャリッジに異なる記録ヘッドを搭載させた場合等、凹凸に応じてフレキシブルに押し付け部材を密着させることを可能にするとともに、記録ヘッドの停止精度が悪い場合であっても高度な制御構成を必要とせずにノズル面に付着したインクを確実に除去することができ、ノズル付近においてインクを固着させて目詰まりを生じさせることがなく、クリーニング動作を十分に行うことができ、高精細な画像を得ることができる。
【００２５】
請求項２に記載の発明によれば、前記押し付け部材は、前記ノズル面に沿って移動可能に構成されているので、前記ノズル面に沿って移動することができるので、ノズル面に沿って移動しながらインク吸収体をノズル面に接触させることができる。
【００２６】
請求項３に記載の発明によれば、前記押し付け部材を前記ノズル面に当接させるときに、ノズルや記録ヘッドの凹凸に応じて確実にインク吸収体を密着させることができ、ノズルのインクをインク吸収体に確実に吸収させ、ノズル面に付着したインクを確実に除去することができる。
【００２７】
請求項４に記載の発明によれば、例えばカチオン系の紫外線硬化性インク等のような有機系の溶剤の付着によって、押し付け部材を膨潤・溶解することなく長年使用することができるので、頻繁に押し付け部材を交換する必要がなく、交換作業の手間を省くとともに安価な構成で長年にわたり高精細な画像を得ることができる。
【００２８】
請求項５に記載の発明によれば、粘度が高く、濡れ性が悪いインクにおいても請求項１から4に記載の手段と併せることにより確実にインク吸収体をノズルに密着させてインクを吸収させることができるので、例えば、紫外線硬化性インク等のような粘性が高く、濡れ性が悪いインクを使用した場合においても高精細な画像を得ることができる。
【００２９】
請求項６に記載の発明によれば、常にインク未吸収部分である新しいインク吸収体を交換することなく接触させることができるので、頻繁にインク吸収体を交換する必要がなく、交換作業の手間を省くとともに安価な構成で長年にわたり高精細な画像を得ることができる。
【００３０】
請求項７に記載の発明によれば、粘性が高く、濡れ性が悪いインクにおいても請求項１から６に記載と併せることにより確実に吸収体をノズルに密着させて、インクを吸収させることができるので、例えば紫外線硬化性インクのような粘性が高く、濡れ性が悪いインクを使用した場合においても高精細な画像を得ることができる。
【００３１】
請求項８に記載の発明によれば、紫外線を照射することで、インクを効率よく硬化させることができるので、記録媒体を問わず、樹脂フィルム等のインク吸収性の乏しい記録媒体においても請求項１から７に記載の手段と併せることにより高精細な画像を得ることができる。
【発明を実施するための最良の形態】
【００３２】
以下、本発明の具体的な実施形態を図１から図５を参照して説明する。ただし、発明の範囲を図示例に限定するものではなく、本発明の要旨を逸脱しない範囲内において種々変更を加え得ることは勿論である。
【００３３】
図１は本発明に係るインクジェットプリンタの実施の一形態を示したもので、本実施形態によるインクジェットプリンタは、シリアルヘッド方式のインクジェットプリンタであり、プリンタ本体１と、プリンタ本体１を支持する支持台２とを備えている。
【００３４】
プリンタ本体１の内部には、棒状のガイドレール３が備えられており、このガイドレール３には、キャリッジ４が支持されている。キャリッジ４は、図示しないキャリッジ駆動装置によって記録媒体Ｐの幅方向である主走査方向Ａをガイドレール３に沿って往復移動するようになっている。
【００３５】
また、キャリッジ４には、記録媒体Ｐに対して、イエロー（Ｙ）、マゼンタ（Ｍ）、シアン（Ｃ）、ブラック（Ｋ）の各色のインクを吐出する記録ヘッド５が搭載されており、記録ヘッド５は、イエロー（Ｙ）、マゼンタ（Ｍ）、シアン（Ｃ）、ブラック（Ｋ）の各色の４つの記録ヘッド５によりそれぞれヘッドユニット６，７を構成し、本実施形態においては、２つのヘッドユニット６，７を副走査方向Ｂに位置をずらして配置するようになっている。
【００３６】
また、記録ヘッド５には、インクを吐出する複数のノズル８（図３参照）が副走査方向Ｂに沿って配列されており、記録ヘッド５のノズル８が形成された記録媒体Ｐと対向する面はノズル面９とされている。
【００３７】
ここで、本実施形態に用いられるインクについて説明する。インクを硬化させる際、インクに含まれる重合性化合物を重合反応させるが、本実施形態において、インクに重合性化合物として活性化エネルギー線硬化性化合物を含んでおり、重合反応を開始させる活性化エネルギーとして紫外線を使用した紫外線硬化性インクである。
【００３８】
紫外線硬化性インクには、重合性化合物として、ラジカル重合性化合物を含むラジカル硬化性インクとカチオン重合性化合物を含むカチオン硬化性インクとに大別されるが、どちらのインクも本実施の形態に用いられるインクとして適用可能であり、ラジカル硬化性インクとカチオン硬化性インクとを複合させたハイブリッド型インクを本実施の形態に用いられるインクとして適用してもよい。
【００３９】
しかしながら、酸素による重合反応の阻害が少ない又は無いカチオン硬化性インクのほうが機能性・汎用性に優れるため、本実施の形態では、特に、カチオン硬化性インクを用いている。本実施の形態に用いられるカチオン硬化性インクは、具体的に、少なくともオキセタン化合物，エポキシ化合物，ビニルエーテル化合物などのカチオン重合性化合物と、光カチオン開始剤と、色材とを含む混合物であり、上記の紫外線の被照射により硬化する性質を具備するものである。
【００４０】
また、本実施形態におけるインクは２３℃での粘度が、１０〜５０［ｍＰａ・ｓ］で、表面張力が２０〜４０［ｍＮ／ｍ］の液体で、いわゆる粘性が高く、濡れ性が悪いインクである。
【００４１】
また、キャリッジ４の記録ヘッド５の主走査方向Ａにおける両側部には、ノズル８から記録媒体Ｐに吐出されたインクに対して紫外線を照射してインクを硬化させる紫外線照射装置１０が設けられている。
【００４２】
キャリッジ４の移動可能範囲の一領域は、記録媒体Ｐに記録を行う記録領域とされており、この記録領域のキャリッジ４の下方には、平板状の部材で構成され記録媒体Ｐを被記録面から支持するプラテン１１が配設されている。
【００４３】
また、キャリッジ４の移動可能範囲であって記録領域の外側一端には、記録ヘッド５のノズル８をクリーニングする図示しないメンテナンスユニットが設けられている。ここで、本実施形態のインクジェットプリンタでは、所定回数の画像記録が行われると、キャリッジ４をメンテナンスユニットの所定の位置まで移動させてクリーニングを行うようになっている。
【００４４】
通常、メンテナンスユニットには、キャリッジ４がメンテナンスユニットに移動した際に記録ヘッド５と対向する位置に記録ヘッド５のノズル８からインクを吸引するインク吸引装置（図示せず）と、インクを吸引した後にノズル面９に残ったインクを拭き取るためのインク拭き取り装置１２（図２参照）とが設けられており、本実施形態においては、インク拭き取り装置１２は、ノズル面９に残ったインクを拭き取った後にインクを空吐出させてメニスカスを形成させる際に、吐出されたインクを受ける空吐出受け皿を兼ねるようになっている。
【００４５】
インク拭き取り装置１２は、図２に示すように多角形の箱型部材１３を有しており、箱型部材１３の上面中央には、開口部１４が形成されている。
【００４６】
箱型部材１３の内部であって副走査方向Ｂの両端には、インク吸収体１５を送り出す送り出し軸１６および図示しないロール軸駆動装置により回転駆動されてインク吸収体１５を巻き取る巻き取り軸１７がそれぞれ配設されており、送り出し軸１６には、長尺状のインク吸収体１５が巻回されている。このインク吸収体１５は、複数のガイドローラ１８により一部が開口部１４から露出されるように案内されて巻き取り軸１７に巻き取られるようになっており、開口部１４から露出されたインク吸収体１５は、記録ヘッド５のノズル面９と対向するようになっている。そして、前述の送り出し軸１６、巻き取り軸１７、ガイドローラ１８及びロール軸駆動装置によりインク吸収体移動装置１９が構成されるようになっている。
【００４７】
また、インク吸収体１５の幅寸法は、少なくとも各ヘッドユニット６，７を構成する複数の記録ヘッド５のノズル面９の全体を覆うような大きさ、すなわち、本実施形態においては各ヘッドユニット６，７において主走査方向Ａのすべてのノズル面９を覆うような大きさになっている。
【００４８】
インク吸収体１５は、０．１デニール程度の繊度を有すような極細繊維である高密度繊維から形成されており、高密度繊維は、ポリエステル、アクリル、ナイロン等のうちいずれか一つあるいはこれらを組み合わせた材料により構成されている。このように、インク吸収体１５は高密度繊維からなり、その表面に接触するものを吸着しやすくなるため、インクの粘度や濡れ性に関わらず記録ヘッド５のノズル面９に付着したインクを速やかに吸収できるものである。すなわち、本実施形態におけるインク吸収体１５は、例えば、紫外線硬化性インクを始めとし、油系やソルベント系等の通常使用されるインクよりも高粘度で濡れ性の悪いインクであっても、ノズル面９に付着したインクを確実に吸収することができるものである。
【００４９】
送り出し軸１６と巻き取り軸１７の間であって、インク吸収体１５の下方には、支持台２０が設けられており、この支持台２０の下端部両端側には、箱型部材１３の両側面に回動自在に支持された支持軸２１が取り付けられている。箱型部材１３の両側面上方には、図３に示すように、記録ヘッド５に対応する中央部分が記録ヘッド５のノズル面９とほぼ平行となるように水平方向に延在されるとともに、両端部が下方に折曲された形状を有しているガイド孔２２が形成されている。なお、ガイド孔２２の両端部は、待避領域Ｃとされ、インク拭き取り装置１２を作動させていない場合やインク拭き取り装置を作動させているときでキャリッジ４を移動させている場合等に後述する押し付け部材２３を待機させている領域であり、キャリッジ４を移動させてきた際に記録ヘッド５の先端が押し付け部材２３に直接当たらないようになっている。
【００５０】
また、支持台２０の上端部には、図２に示すように、押し付け部材２３が上下動自在に取り付けられており、押し付け部材２３は、支持台２０の幅方向に沿って延在する支持軸２７を有している。この支持軸２７の外周には、長尺状の薄板を螺旋状に形成してなる当接部２９が配設されており、この当接部２９の間には、螺旋状のスリット２８が形成されるようになっている。この当接部２９は、支持軸２７の両端部に固定されており、当接部２９は、支持軸２７の外周面に対して所定間隔をもって保持されるようになっている。
【００５１】
押し付け部材２３の支持軸２７は、支持台２０の上端部両側に配設された一対の支持片２６により回転自在に支持されており、押し付け部材２３の両側には、ガイド孔２２に係合されるガイド軸２４が取り付けられている。そして、図示しない支持台駆動装置により、支持台２０の揺動動作させることにより押し付け部材２３が揺動され、押し付け部材２３のガイド軸２４がガイド孔２２に案内されるとともに、押し付け部材２３が支持片２６とともに支持台２０に対して上下動しかつ回転しながら、インク吸収体１５の裏面を副走査方向Ｂに沿って移動されるようになっている。なお、本実施形態においては、支持台２０、支持軸２１、ガイド孔２２、ガイド軸２４及び支持台駆動装置から支持台移動装置２５が構成されている。
【００５２】
図４に示すように、本実施形態の記録ヘッド５のノズル面９の両側縁には、ノズル８を保護するための凸部３０が形成されている。本実施形態においては、押し付け部材２３のスリット２８の幅寸法は、１．０〜５．０ｍｍの範囲となるように形成されている。そして、押し付け部材２３をインク吸収体１５を介して記録ヘッド５のノズル面９に当接させた場合に、支持台２０の揺動動作に伴って押し付け部材２３が回転動作され、押し付け部材２３の軸方向におけるスリット２８および当接部２９の位置を移動させることができ、これにより、当接部２９を確実に記録ヘッド５のノズル面９に当接させることができるものである。
【００５３】
なお、押し付け部材２３の幅寸法は、インク吸収体１５の幅寸法に対して少なくとも同等以上の長さに形成されている。
【００５４】
また、押し付け部材２３は、ポリプロピレン、ポリエチレン、４−フッ化エチレン、４，６−フッ化プロピレンのうちいずれか一つの材料により形成されている。このような材料を使用している押し付け部材２３は、ノズル面９に接触させた際に、例えばカチオン系の紫外線硬化性インク等のような有機系溶剤を含むインクが付着しても膨潤・溶解することなく長年使用することができるようになっている。
【００５５】
このような押し付け部材２３は、インク吸収体１５を適度な圧力で記録ヘッド５の複数のノズル面９に対して均一に押し付けることができるようになっているとともに、支持台２０を揺動させて押し付け部材２３を副走査方向Ｂに一回往復移動させることにより、押し付け部材２３によりインク吸収体１５をノズル面９の全域にわたって接触させることができるようになっている。
【００５６】
その他、キャリッジ４の移動可能範囲であって記録領域の外側他端には、図示しないインク供給路を介して、キャリッジ４に各色のインクを供給するインクタンク３１が設けられている。
【００５７】
また、本実施の形態に用いられる記録媒体Ｐとしては、通常のインクジェットプリンタに適用される普通紙，再生紙，光沢紙などの各種紙，各種布地，各種不織布，樹脂，金属，ガラスなどの材質からなるものが適用可能である。また、記録媒体Ｐの形態としては、ロール状、カットシート状、板状などが適用可能である。
【００５８】
更に、本実施の形態に用いられる記録媒体Ｐとして、樹脂により表面を被覆した各種紙，顔料を含むフィルム，発泡フィルムなどの不透明な公知の記録媒体も適用可能である。
【００５９】
次に、本実施形態の作用について説明する。
【００６０】
インクジェットプリンタに所定の画像情報が送られ、記録媒体Ｐが画像記録領域におけるキャリッジ４の所定の位置まで搬送されると、キャリッジ４をガイドレール３に沿って記録媒体Ｐの直上を往復移動させる。
【００６１】
そして、キャリッジ４の移動中に、画像情報に基づいて記録ヘッド５を動作させ、各ノズル８から記録媒体Ｐに向けてインクを吐出させるとともに、紫外線照射装置１０から記録媒体Ｐに向かって紫外線を照射させてインクを硬化させる。このとき、キャリッジ４の移動方向の各ヘッドユニット６，７を構成している記録ヘッド５よりも下流側にある紫外線照射装置１０から照射される紫外線により、各ヘッドユニット６，７を構成している記録ヘッド５から吐出されたインクは速やかに硬化され、記録媒体Ｐ上に定着される。
【００６２】
その後、インクジェットプリンタが前記各動作を繰り返すことにより、記録媒体Ｐ上に画像が形成される。
【００６３】
そして、所定回数の画像記録が行われると、キャリッジ４をメンテナンスユニットの所定の位置まで移動させてクリーニングを行う。
【００６４】
具体的には、キャリッジ４をインク吸引装置に移動させて、インク吸引装置を作動させ、ノズル８内に残っているインクを吸引させる。その後、キャリッジ４をインク拭き取り装置１２に移動させて、インク拭き取り装置１２を作動させ、インク吸収体１５によりノズル面９に付着しているインクを吸収させる。
【００６５】
すなわち、インク吸収体１５と対向する位置にヘッドユニット６を構成する記録ヘッド５のノズル面９が移動されると、図３に示すように、支持台移動装置２５を作動させ、押し付け部材２３を待避位置からガイド孔２２に沿って移動させる。すると、記録ヘッド５のノズル面９と押し付け部材２３が対向する位置では、図４に示すように、押し付け部材２３を介してインク吸収体１５がノズル面９の一端部分に密着される状態になる。このように、ガイド孔２２に沿って押し付け部材２３を往復移動させることにより、記録ヘッド５のノズル面９と対向する位置において、ノズル面９に付着したインクをインク吸収体１５に吸収させる。このとき、記録ヘッド５の凸部３０に当接部２９が位置し、当接部２９がノズル面９に位置しなくても、押し付け部材２３を回転させることでスリット２８及び当接部２９の位置を移動させることができる。したがって、記録ヘッド５の停止制御が正確でない場合においてもインク吸収体１５をノズル面９に密着させることができる。
【００６６】
その後、押し付け部材２３を待避位置Ｃで待機させて、インク吸収体１５と記録ヘッド５のノズル面９とを離隔させ、この状態で、ロール軸駆動装置を作動させ、インク吸収体１５を巻き取り軸１７に巻き取らせ、インク吸収体１５のインク未吸収部分を開口部１４から露出させる。
【００６７】
続いて、キャリッジ４をインク吸収体１５の位置に合わせてヘッドユニット６の幅だけ移動させて、ヘッドユニット７に対して上記したインク拭き取り装置１２でのクリーニング動作を行う。このようにして、ヘッドユニット６，７ごとに押し付け部材２３の移動とインク吸収体１５の移動とキャリッジ４の移動を順に行わせる動作を繰り返すことで、インク拭き取り装置１２における一連のクリーニング動作を完了させ、ノズル面９のインクを確実に除去させる。
【００６８】
その後、インクをインク吸収体１５に空吐出させてメニスカスを形成させる。そして、押し付け部材２３を待避位置Ｃで待機させて、インク吸収体１５と記録ヘッド５のノズル面９とを離隔させ、この状態で、ロール軸駆動装置を作動させ、インク吸収体１５を巻き取り軸１７に巻き取らせ、インク吸収体１５のインク未吸収部分を開口部１４から露出させる。
【００６９】
このようにメンテナンスユニットでの一連のクリーニングを完了させると、再びキャリッジ４は記録領域に戻り、画像記録を再開させる。
【００７０】
以上のように、螺旋状の部材である押し付け部材２３をインク吸収体１５を介してノズル面９に密着させながら回転移動させることで、高粘度で濡れ性の悪いインクにおいてもノズル面９のインクをインク吸収体１５に吸収させ、ノズル８付近に付着したインクを確実に除去することができ、記録ヘッド５の拭き取りを確実に行うことができ、その結果、記録ヘッド５のノズル面９に付着したインクによる悪影響を受けずに、高精細な画像を得ることができる。
【００７１】
また、押し付け部材２３自身を回転させることで、キャリッジ４に異なる記録ヘッドを搭載させた場合等、凹凸に応じてフレキシブルに押し付け部材２３を密着させることを可能にするとともに記録ヘッド５の停止精度が悪い場合であっても高度な制御構成を必要とせずにノズル面９に付着したインクを確実に除去することができ、ノズル８付近においてインクを固着させて目詰まりを生じさせることがなく、クリーニング動作を十分に行うことができ、高精細な画像を得ることができる。
【００７２】
また、インク吸収体１５上で空吐出をさせることができるので、新たに空吐出をするための受け皿等を設ける必要もなく部材数を削減させることができ、インクジェットの小型化及びコスト削減も図ることができる。
【００７３】
なお、本実施形態においては、押し付け部材２３として、図４に示すように、長尺状の薄板を螺旋状に形成したものを用いたが、図５（ａ）に示すように、薄肉円筒状部材の外周の互いに対向する面に中心軸に対して傾斜したスリットを形成させた押し付け部材２３を用いてもよい。さらに、図５（ｂ）に示すように、スリット２８の間隔を狭いものと広いものとを交互に配置するようにした螺旋状の押し付け部材２３を用いてもよい。この場合、前記した効果に加え、インク吸収体１５の凹凸を変化させることにより、種々の記録ヘッドに対応させることができる。
【００７４】
また、本実施形態においては、主走査方向Ａにおけるヘッドユニット６，７のノズル面９の全体を覆うように対応させた長さを有する１つの押し付け部材２３によりインク吸収体１５を押し付けることで、ヘッドユニット６，７毎にクリーニングを行わせるようにしたが、各記録ヘッド５毎のノズル面９に対応させた長さの押し付け部材２３を複数個設けることで、各記録ヘッド５のノズル面９にインク吸収体１５を密着させるようにしてもよい。
【００７５】
また、本実施形態においては、シリアル方式の記録ヘッド５を用いたが、ライン方式の記録ヘッド５においても適用可能である。その場合、インク拭き取り装置１２をプリンタ本体１に配設させるときの配置向きを変えればよく、ノズル列を形成している方向がインク吸収体１５の長尺方向と平行になるように設置すればよい。
【００７６】
また、本実施形態においては、押し付け部材２３の移動方向をノズル列が形成されている方向である副走査方向Ｂとしたが、ノズル列の方向以外（本実施形態だと主走査方向Ａやインク吸収体１５に対して斜めに交差する方向）にも押し付け部材２３を移動させてインク吸収体１５にインクを吸収させることも可能である。
【００７７】
また、本実施形態においては、支持台駆動装置を設けて、押し付け部材２３を往復移動させてインク吸収体１５にインクを吸収させるようにしたが、支持台駆動装置を設けず、インク吸収体駆動装置を常時作動させておくことで、インク吸収体１５の巻き取り移動に伴ってインク吸収体１５の裏面に接している押し付け部材２３を移動させることにより、インク吸収体１５にインクを吸収させてもよい。
【図面の簡単な説明】
【００７８】
【図１】図１は、本発明に係るインクジェットプリンタの実施の一形態を示す斜視図である。
【図２】図２は、図１に示すインクジェットプリンタにおけるインク拭き取り装置の斜視図である。
【図３】図３は、押し付け部材の動作を表すインク拭き取り装置の一部を示す正面図である。
【図４】図４は、図２に示すインク拭き取り装置及び記録ヘッドの一部を示す正面図である。
【図５】図５（ａ）は、螺旋状の押し付け部材の正面図であり、  図５（ｂ）は、螺旋の間隔を狭いものと広いものと交互にした螺旋状の押し付け部材の正面図である。
【符号の説明】
【００７９】
５    記録ヘッド
８    ノズル
９    ノズル面
１２  インク拭き取り装置
１５  インク吸収体
１６  送り出し軸
１７  巻き取り軸
１９  インク吸収体移動装置
２３  押し付け部材
２８  スリット
【図１】
2005205634.tif 000003
【図２】
2005205634.tif 000004
【図３】
2005205634.tif 000005
【図４】
2005205634.tif 000006
【図５】
2005205634.tif 000007